(57)【特許請求の範囲】
【請求項１】
昇降路を昇降する乗りかごと、前記乗りかごとともに昇降する釣合おもりと、一端が前記乗かごに接続され、他端が前記釣合おもりに接続された主ロープと、前記主ロープが巻きかけられた綱車を有する巻き上げ機と、を備えたエレベーター装置において、
前記釣合おもりは、複数の釣合おもり片が積層された積層体が釣合おもり枠に保持されている構成を有し、
前記釣合おもり枠は、一対の縦枠と、前記一対の縦枠のそれぞれの上端部に渡って設けられた上枠と、前記縦枠のそれぞれの下端部に渡って設けられた下枠と、を有し、
前記釣合おもり片のうちの少なくとも１つが、前記縦枠に固定されており、
前記縦枠に固定する前記釣合おもり片が、前記積層体の中間に位置する釣合おもり片と、前記積層体の両端に位置する釣合おもり片であるか、または、前記縦枠に固定する前記釣合おもり片が、前記積層体を３等分する位置の釣合おもり片であることを特徴とするエレベーター装置。
【請求項２】
請求項１記載のエレベーター装置において、前記釣合おもり片のうちの少なくとも１つの端部に設けられた釣合おもり片貫通孔と、前記縦枠の前記釣合おもり片貫通孔に対応する位置に設けられた縦枠貫通孔と、前記釣合おもり片貫通孔および前記縦枠貫通孔に挿入されたボルトと、前記ボルトの一端に締結されたナットと、を有することを特徴とするエレベーター装置。
【請求項３】
請求項１記載のエレベーター装置において、前記釣合おもり片のうちの少なくとも１つと前記縦枠とを固定するバンドを有することを特徴とするエレベーター装置。
【請求項４】
請求項１記載のエレベーター装置において、前記縦枠に固定される前記釣合おもり片は、前記釣合おもりのうちの他の釣合おもり片と同一の断面形状を有するか、または前記他の釣合おもり片の断面形状内に収まる断面形状を有することを特徴とするエレベーター装置。
【発明の詳細な説明】
【技術分野】
【０００１】
本発明はエレベーター装置に関し、特に、釣合おもり枠内に保持された釣合おもりが、地震などによる振動によって釣合おもり枠が変形して釣合おもり枠から脱落することを防止することが可能な構成を有するエレベーター装置に関する。
【背景技術】
【０００２】
エレベーター装置の釣合おもりは、一般に、一対の縦枠と、それぞれの縦枠の上端部に渡って設けられる上枠と、それぞれの縦枠の下端部に渡って設けられる下枠とを有する釣合おもり枠の内側に積層されて保持される。このような構成において、水平地震等による水平方向の揺れ（水平振動）によって一対の縦枠が互いに広がる方向にたわみ変形し、釣合おもりが脱落してしまう可能性がある。この対策として、縦枠のたわみ量が最大となる高さ方向中間部付近に一対の縦枠を固定する釣合おもり枠固定部材（連結部材）を耐震装置として設置することが有効である。
【０００３】
例えば、特許文献１には、一対の縦枠におけるそれぞれの高さ方向中間部に渡って設けられ、釣合おもりを囲むように前側連結体および後側連結体を有する連結体と、連結体をそれぞれの縦枠に固定するためのボルトとを備えた釣合重りの耐震装置が開示されている。
【０００４】
また、特許文献２には、高さ方向に並べられた複数の釣合おもりの中の隣り合う一対の上記釣合おもりの間に設けられる取付台と、一対の縦枠に渡って設けられ、上記取付台が設けられた一対の上記釣合おもりの間を通る縦枠用連結部材とを備えた構成が開示されている。
【先行技術文献】
【特許文献】
【０００５】
【特許文献１】特開２００８‐１４３６５５号公報
【特許文献２】特開２０１５‐５４７６９号公報
【発明の概要】
【発明が解決しようとする課題】
【０００６】
しかしながら、特許文献１の構成では、連結部材が釣合おもりを囲繞するように配置されるので、釣合おもりと乗りかごとの隙間および釣合おもりと昇降路壁との隙間に十分な設置スペースがない場合には、耐震装置を取り付けることができないという可能性があった。
【０００７】
また、特許文献２の構成では、上述した特許文献１の問題は生じないが、取付台や縦枠用連結用部材などの構造が特殊で複雑である。また、取付台と縦枠用連結用部材の設置により、釣合おもり枠内に空きスペースが生じるために、釣合おもりを釣合おもり枠の積載上限まで積み込んでも、釣合おもりとして機能させるための十分な質量を確保することができない可能性があった。
【０００８】
本発明は、上記事情に鑑み、簡単で余分な設置スペースを必要としない構造を有し、釣合おもりの十分な質量を確保し、かつ釣合おもりの脱落を防止することが可能なエレベーター装置を提供する。
【課題を解決するための手段】
【０００９】
本発明は、上記目的を達成するため、昇降路を昇降する乗りかごと、乗りかごとともに昇降する釣合おもりと、一端が乗かごに接続され、他端が釣合おもりに接続された主ロープと、主ロープが巻きかけられた綱車を有する巻き上げ機と、を備えたエレベーター装置において、上記釣合おもりは、複数の釣合おもり片が積層された積層体が釣合おもり枠に保持されている構成を有し、上記複数の釣合おもり片のうちの少なくとも１つが上記釣合おもり枠に固定されており、上記釣合おもり枠は、一対の縦枠と、上記一対の縦枠のそれぞれの上端部に渡って設けられた上枠と、上記縦枠のそれぞれの下端部に渡って設けられた下枠と、を有し、上記釣合おもり片のうちの少なくとも１つが、上記縦枠に固定されており、上記縦枠に固定する上記釣合おもり片が、上記積層体の中間に位置する釣合おもり片と、上記積層体の両端に位置する釣合おもり片であるか、または、上記縦枠に固定する上記釣合おもり片が、上記積層体を３等分する位置の釣合おもり片であることを特徴とするエレベーター装置を提供する。
【発明の効果】
【００１０】
本発明によれば、簡単で余分な設置スペースを必要としない構造を有し、釣合おもりの十分な質量を確保し、かつ釣合おもりの脱落を防止することが可能なエレベーター装置を提供することができる。
【００１１】
上記した以外の課題、構成および効果は、以下の実施形態の説明により明らかにされる。
【図面の簡単な説明】
【００１２】
【図１】本発明に係るエレベーター装置の一例を模式的に示す正面図である。
【図２】図１のＸ部分の拡大図である。
【図３】図２のＹ部分の拡大図である。
【図４】図３のＡ‐Ａ線に沿った断面図である。
【図５】図４の釣合おもり片の形状の一例を示す模式図である。
【図６】図４の釣合おもり片の形状の他の例を示す模式図ある。
【図７】実施例２に係るエレベーター装置の釣合おもりの一部分（図２のＹ部分に相当する部分）を示す図である。
【図８】図７のＢ‐Ｂ線に沿った断面図である。
【図９】実施例３に係る釣合おもりの一例を示す模式図である。
【図１０】実施例３に係る釣合おもりの他の例を示す模式図である。
【発明を実施するための形態】
【００１３】
以下、本発明にエレベーター装置について図面を用いて詳細に説明する。
【実施例１】
【００１４】
図１は、本発明に係るエレベーター装置の一例を模式的に示す正面図である。図１に示すように、本発明に係るエレベーター装置１０は、昇降路１５を昇降する乗りかご１１と、乗りかご１１とともに昇降する釣合おもり３と、一端が乗りかご１１に接続され、他端が釣合おもり３に接続された主ロープ１２と、主ロープ１２が巻きかけられた綱車を有する巻上機１３を有する。乗りかご１１および釣合おもり３は、それぞれガイド装置（後述する図２に示す。）を介してガイドレール１４，１に沿って昇降する。
【００１５】
図２は図１のＸ部分の拡大図である。図２に示すように、釣合おもり３は、複数の釣合おもり片３０が積層された積層体が釣合おもり枠２に保持されている構成を有する。釣合おもり枠２は、高さ方向（釣合おもり３の昇降方向）に延びた一対の縦枠２１と、一対の縦枠２１のそれぞれの上端部を連結する上枠２２と、一対の縦枠２１のそれぞれの下端部を連結する下枠２３を有している。縦枠２１の上下両端部には、それぞれガイド装置４が設けられ、ガイドレール１と係合されている。釣合おもり枠２はガイド装置４を介してガイドレール１に沿って昇降する。複数の釣合おもり片３０は、下枠２３の上に高さ方向に積層され、配置されている。
【００１６】
図３は図２のＹ部分の拡大図であり、図４は図３のＡ‐Ａ線に沿った断面図である。図３および図４に示すように、本実施例では、積層された複数の釣合おもり片３０のうちの１つ、すなわち、積層体の中間に位置する釣合おもり片３１が貫通孔（以下、「釣合おもり片貫通孔」と称する。）３２を有している。また、縦枠２１の釣合おもり片貫通孔３２に対応する位置にも長穴（以下、「縦枠貫通孔」と称する。）３３が設けられている。上述した貫通孔３２および３３にボルト３４を貫通し、ボルト３４の一端がナット３５で固定されている。本実施例に係るエレベーター装置では、貫通孔３２を有する釣合おもり３１、貫通孔３３を有する縦枠２１、ボルト３４およびナット３５が、釣合おもり枠２を固定してたわみ変形を防止する釣合おもり枠固定部材４０を構成している。釣合おもり枠固定部材４０が一対の縦枠２１を固定（連結）することで、地震などによって釣合おもり枠２が振動した場合であっても、釣合おもり枠２を構成する一対の縦枠２１が互いに広がる方向にたわみ変形することを防止し、この結果、釣合おもり片３０が釣合おもり枠２から脱落することを防止することができる。
【００１７】
また、釣合おもり片のうちの１つを釣合おもり枠固定部材４０の構成部材の１つとして兼用するため、上述した特許文献のように、釣合おもり枠固定部材４０を設置するための釣合おもり周囲の配置スペースや質量確保の問題を生じることが無い。この釣合おもり枠固定部材４０を構成する釣合おもり３１を、「釣合おもり兼用釣合おもり枠固定部材の構成部材３１」とも称する。このように、釣合おもり片を釣合おもり枠固定部材４０の構成部材とすることは従来にはなく、このようにすることで釣合おもり枠固定部材４０が上述した特許文献１および２よりも簡単で余分な設置スペースを必要としない構造とすることができる。
【００１８】
図５は図４の釣合おもり片３０の形状の一例を示す模式図であり、図６は図４の釣合おもり片の形状の他の例を示す模式図ある。図５および図６に示すように、一般的に、釣合おもり片３０は端部に突起３７，３７´を有する形状であり、この突起３７，３７´が縦枠２１に嵌合され、釣合おもり片３０がおもり枠２に保持される構成を有する。本実施例では、この突起３７，３７´に釣合おもり片貫通孔３２を設けている。釣合おもり片３０が有する突起の形状としては、特に限定は無く、図５に示すように、釣合おもり片３０を正面から見たときに台形であるものであってもよいし、図６に示すように長方形であるものであってもよい。また、釣合おもり片３０の形状についても、特に限定は無い。釣合おもり片貫通孔３２の形成方法としては、釣合おもり片３０が鋳物ならば、鋳造時に釣合おもり片貫通孔３２に当たる部位に中子を設置することで形成することができる。また、釣合おもり片３０が鉄板ならば、機械加工によって形成することができる。
【００１９】
釣合おもり兼用釣合おもり枠固定部材の構成部材３１は、他の釣合おもり片３０と同一の断面形状を有するか、または他の釣合おもり片３０の断面形状内に収まる断面形状を有していることが好ましい。すなわち、釣合おもり兼用釣合おもり枠固定部材の構成部材３１は、釣合おもり片貫通孔３２を有すること以外は、他の釣合おもり片３０と同じ形状を有し、他の釣合おもり片３０と同じ大きさか、他の釣合おもり片３０より小さいことが好ましい。釣合おもり兼用釣合おもり枠固定部材の構成部材３１を、他の釣合おもり片３０に貫通孔を設けただけの構成とすることで、釣合おもり枠固定部材４０の製作を容易にすることができ、配置スペースや質量確保の問題も生じることがない。一方、高さに関しては、他の釣合おもり片３０と同じでも、異なっていてもいずれでもよく、貫通穴を設ける製作上の都合を考慮して決めればよい。
【実施例２】
【００２０】
図７は実施例２に係るエレベーター装置の釣合おもりの一部分（図２のＹ部分に相当する部分）を示す図であり、図８は図７のＢ‐Ｂ線に沿った断面図である。本実施例では、釣合おもり枠固定部材の構成が実施例１と異なる。本実施例では、バンド３６によって釣合おもり片３１が縦枠２１に固定されている。言い換えると、バンド３６が釣合おもり片３１を介して一対の縦枠２１を固定している。このような構成によっても、実施例１と同様の効果を得ることができる。バンドとしては、強固に結束できるものであればどのようなものであってもよい。
【実施例３】
【００２１】
図９は実施例３に係る釣合おもりの一例を示す模式図であり、図１０は実施例３に係る釣合おもりの他の例を示す模式図である。図９および１０において、釣合おもり兼用釣合おもり枠固定部材の構成部材３１を斜線で示している。本実施例では、釣合おもり兼用釣合おもり枠固定部材の構成部材３１となる釣合おもり片の位置を変えた点が実施例１と異なる。実施例１では、釣合おもり兼用釣合おもり枠固定部材の構成部材３１の位置を釣合おもり３の積層体の中間となる位置に設けたが、これに限られず、縦枠２１が長い場合などは、釣合おもり片３１の位置や数を調整してもよい。
【００２２】
例えば、図９に示すように、釣合おもり３の積層体の中間位置と、積層体の両端（上端および下端）に設けてもよい。また、図１０に示すように、積層体を３等分する位置に設けてもよい。本発明では、釣合おもり３の積層体に少なくとも１つの釣合おもり兼用釣合おもり枠固定部材の構成部材片３１が設けられていればよい。実施例１のように、積層体の中間となる位置に釣合おもり３１を設けることで縦枠２１のたわみ変形を十分に抑制することができるが、図９および図１０のように複数設けることで、より一層本発明の効果を得ることができる。
【００２３】
以上、説明したように、本発明によれば、簡単で余分な設置スペースを必要としない構造を有し、釣合おもりの十分な質量を確保し、かつ釣合おもりの脱落を防止することが可能なエレベーター装置を提供することができる。
【００２４】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２５】
１…釣合おもり用ガイドレール、２…釣合おもり枠、２１…縦枠、２２…上枠、２３…下枠、３…釣合おもり、３０，３０ａ，３０ｂ…釣合おもり片、３１…縦枠に固定される釣合おもり片（釣合おもり兼用釣合おもり枠固定部材の構成部材）、３２…釣合おもり片貫通孔、３３…縦枠貫通孔、３４…ボルト、３５…ナット、３６…バンド、３７，３７´…突起、４０…釣合おもり枠固定部材、４…ガイド装置、１０…エレベーター装置、１１…乗りかご、１２…主ロープ、１３…巻上機、１４…乗りかご用ガイドレール、１５…昇降路。
【図１】
0006541597.tif 000002
【図２】
0006541597.tif 000003
【図３】
0006541597.tif 000004
【図４】
0006541597.tif 000005
【図５】
0006541597.tif 000006
【図６】
0006541597.tif 000007
【図７】
0006541597.tif 000008
【図８】
0006541597.tif 000009
【図９】
0006541597.tif 000010
【図１０】
0006541597.tif 000011